(57)【特許請求の範囲】
【請求項１】
室内側吸込口から室外側吐出口に至る排気通路と、室外側吸込口から室内側吐出口に至る給気通路と、前記排気通路と給気通路の交差部に設けた熱交換素子とを有し、前記排気通路に送風する排気用送風機と前記給気通路に送風する給気用送風機とを設けた本体の電装部に、前記排気用送風機と給気用送風機の運転を制御する第１電源スイッチおよび第１速調スイッチを設けるとともに、室内の壁面に第２電源スイッチおよび第２速調スイッチを設け、電源を前記本体の前記電装部に設けた前記第１電源スイッチおよび第１速調スイッチに直接投入して前記排気用送風機と給気用送風機の運転を制御する手段と、前記第１電源スイッチを入りに設定して壁面に設けた前記第２電源スイッチおよび第２速調スイッチに電源を投入し、前記第２電源スイッチおよび第２速調スイッチと前記本体の前記電装部とを接続することにより、遠方から前記排気用送風機と給気用送風機を制御する手段のいずれかが選択できる熱交換気ユニットの制御装置。
【請求項２】
本体の電装部に、内部に設けた第１電源スイッチおよび第１速調スイッチへ直接電源が投入できる接続部と、壁面に設けた第２電源スイッチおよび第２速調スイッチと接続する前記接続部とを共用した端子台を設けた請求項１記載の熱交換気ユニットの制御装置。
【請求項３】
本体の電装部に、内部に設けた第１電源スイッチおよび第１速調スイッチへ直接電源が投入できる接続部と、壁面に設けた第２電源スイッチおよび第２速調スイッチと接続する前記接続部とを別々に設けた請求項１記載の熱交換気ユニットの制御装置。
【請求項４】
電装部の電装カバーに、スイッチカバーの両端部に形成した傾斜形状の凸部をはめ込み保持する長方形状の固定孔を設けてなる請求項１記載の熱交換気ユニットの制御装置。
【請求項５】
電装部の電装箱に、第１電源スイッチと第１速調スイッチを両端部に傾斜形状の凸部を有した固定金具に形成したスイッチ組を前記電装箱の切り欠き部に弾性力を利用して固定してなる請求項１記載の熱交換気ユニットの制御装置。
【発明の詳細な説明】
【０００１】
【発明の属する技術分野】
本発明は、給気流と排気流の間で熱交換をしながら換気を行う熱交換気ユニットの制御装置に関する。
【０００２】
【従来の技術】
近年、熱交換器を利用して熱回収を行いながら換気する熱交換気ユニットが、一般の住宅にも多く使用されはじめている。
【０００３】
従来、この種の熱交換気ユニットの制御装置について図１０〜図１５を参照しながら説明する。
【０００４】
図に示すように、天井裏空間等に吊り固定される箱状の熱交換気ユニット１０１と、この熱交換気ユニット１０１の下面に形成された電装部１０２の端子台１０３とリモコンスイッチ１０４の電源スイッチ１０５および速調スイッチ１０６を結び、リモコンスイッチ１０４により熱交換気ユニット１０１を制御し、運転停止、風量切り換えの制御を行うように構成している。
【０００５】
また、電装カバー１０７に固定するスイッチカバー１０８は、固定ねじＡ１０９により電装カバー１０７に設けた固定孔Ａ１１０に固定するように構成している。
【０００６】
また、固定金具１１１に形成されたスイッチ組１１２は、電装箱１１３の両端に設けた固定孔Ｂ１１４に固定ねじＢ１１５により固定するように構成している。
【０００７】
上記構成において、電源スイッチ１０５および速調スイッチ１０６を有するリモコンスイッチ１０４に電源を投入し、熱交換気ユニット１０１の下面に形成した電装部１０２の端子台１０３とリモコンスイッチ１０４を結ぶことにより、熱交換気ユニット１０１を室内条件によって運転停止、風量切り換え制御運転していた。また、電装カバー１０７に固定するスイッチカバー１０８は、２本の固定ねじＡ１０９で電装カバー１０７に設けた固定孔Ａ１１０にがたつきがないよう確実に固定していた。また、固定金具１１１に形成されたスイッチ組１１２は、電装箱１１３の両端に設けた固定孔Ｂ１１４に２本の固定ねじＢ１１５でがたつきがないよう確実に固定していた。
【０００８】
【発明が解決しようとする課題】
このような従来の熱交換気ユニットの制御装置では、リモコンスイッチ１０４で熱交換気ユニット１０１を遠方から制御する運転となっているが、熱交換気ユニット１０１を連続運転する必要性がある場合、リモコンスイッチ１０４が見える位置にあると切り（運転スイッチＯＦＦ）にしてしまう場合が生じるという課題があり、熱交換気ユニット１０１の本体にもスイッチを設けて制御運転できることが要求されている。
【０００９】
本発明は、このような従来の課題を解決するものであり、連続運転する必要性がある場合に、スイッチを切りにされるのを防止でき、使用用途によって制御手段が選択できる熱交換気ユニットの制御装置を提供することを目的としている。
【００１０】
また、スイッチカバー１０８は固定ねじＡ１０９で固定する構造となっているが、運転停止、風量切り換えの設定変更をする場合、工具を使用して固定ねじＡ１０９をはずし、スイッチカバー１０８を取って行うことから、固定ねじＡ１０９をなくしてしまうという課題があり、工具や固定ねじを使用せずにスイッチカバー１０８が着脱できることが要求されている。
【００１１】
本発明は、このような従来の課題を解決するものであり、工具や固定ねじを使用せずに、スイッチカバーを着脱できる熱交換気ユニットの制御装置を提供することを目的としている。
【００１２】
また、固定金具１１１に形成されたスイッチ組１１２は、固定ねじＢ１１５で固定する構造となっているが、材料費や取り付け作業費の製造コストが高くなるという課題があり、製造コストを低減できる固定手段が要求されている。
【００１３】
本発明は、このような従来の課題を解決するものであり、スイッチ組を電装箱に容易に固定し、材料費や取り付け作業費の製造コストを低減できる熱交換気ユニットの制御装置を提供することを目的としている。
【００１４】
【課題を解決するための手段】
本発明の熱交換気ユニットの制御装置は上記目的を達成するために、室内側吸込口から室外側吐出口に至る排気通路と、室外側吸込口から室内側吐出口に至る給気通路と、前記排気通路と給気通路の交差部に設けた熱交換素子とを有し、前記排気通路に送風する排気用送風機と前記給気通路に送風する給気用送風機とを設けた本体の電装部に、前記排気用送風機と給気用送風機の運転を制御する第１電源スイッチおよび第１速調スイッチを設けるとともに、室内の壁面に第２電源スイッチおよび第２速調スイッチを設け、電源を前記本体の前記電装部に設けた前記第１電源スイッチおよび第１速調スイッチに直接投入して前記排気用送風機と給気用送風機の運転を制御する手段と、前記第１電源スイッチを入りに設定して壁面に設けた前記第２電源スイッチおよび第２速調スイッチに電源を投入し、前記第２電源スイッチおよび第２速調スイッチと前記本体の前記電装部とを接続することにより、遠方から前記排気用送風機と給気用送風機を制御する手段のいずれかが選択できる構成としたものである。
【００１５】
本発明によれば、連続運転する必要性がある場合に、スイッチを切りにされるのを防止でき、使用用途によって制御手段が選択できる熱交換気ユニットの制御装置を提供できる。
【００１６】
また他の手段は、本体の電装部に、内部に設けた第１電源スイッチおよび第１速調スイッチへ直接電源が投入できる接続部と、壁面に設けた第２電源スイッチおよび第２速調スイッチと接続する前記接続部とを共用した端子台を設けた構成としたものである。
【００１７】
そして本発明によれば、使用用途によって制御手段が変わっても、共用した端子台に接続できる熱交換気ユニットの制御装置を提供できる。
【００１８】
また他の手段は、本体の前記電装部に、内部に設けた第１電源スイッチおよび第１速調スイッチへ直接電源が投入できる接続部と、壁面に設けた第２電源スイッチおよび第２速調スイッチと接続する前記接続部とを別々に設けた構成としたものである。
【００１９】
そして本発明によれば、使用用途によって制御手段が変わっても、電装部に設けた別々の接続部に接続できる熱交換気ユニットの制御装置を提供できる。
【００２０】
また他の手段は、電装部の電装カバーに、スイッチカバーの両端部に形成した傾斜形状の凸部をはめ込み保持する長方形状の固定孔を設けた構成としたものである。
【００２１】
そして本発明によれば、工具や固定ねじを使用せずに、スイッチカバーを着脱できる熱交換気ユニットの制御装置を提供できる。
【００２２】
また他の手段は、電装部の電装箱に、第１電源スイッチと第１速調スイッチを両端部に傾斜形状の凸部を有した固定金具に形成したスイッチ組を前記電装箱の切り欠き部に弾性力を利用して固定した構成としたものである。
【００２３】
そして本発明によれば、スイッチ組を電装箱に容易に固定し、材料費や取り付け作業費の製造コストを低減できる熱交換気ユニットの制御装置を提供できる。
【００２４】
【発明の実施の形態】
本発明は、室内側吸込口から室外側吐出口に至る排気通路と、室外側吸込口から室内側吐出口に至る給気通路と、前記排気通路と給気通路の交差部に設けた熱交換素子とを有し、前記排気通路に送風する排気用送風機と前記給気通路に送風する給気用送風機とを設けた本体の電装部に、前記排気用送風機と給気用送風機の運転を制御する第１電源スイッチおよび第１速調スイッチを設けるとともに、室内の壁面に第２電源スイッチおよび第２速調スイッチを設け、電源を前記本体の前記電装部に設けた前記第１電源スイッチおよび第１速調スイッチに直接投入して前記排気用送風機と給気用送風機の運転を制御する手段と、前記第１電源スイッチを入りに設定して壁面に設けた前記第２電源スイッチおよび第２速調スイッチに電源を投入し、前記第２電源スイッチおよび第２速調スイッチと前記本体の前記電装部とを接続することにより、遠方から前記排気用送風機と給気用送風機を制御する手段のいずれかが選択できる構成としたものであり、連続運転する必要性がある場合に、スイッチを切りにされるのを防止でき、使用用途によって制御手段が選択できるという作用を有する。
【００２５】
また、電装部の電装カバーに、スイッチカバーの両端部に形成した傾斜形状の凸部をはめ込み保持する長方形状の固定孔を設けた構成としたものであり、工具や固定ねじを使用せずに、スイッチカバーを着脱できるという作用を有する。
【００２６】
また、電装部の電装箱に、第１電源スイッチと第１速調スイッチを両端部に傾斜形状の凸部を有した固定金具に形成したスイッチ組を前記電装箱の切り欠き部に弾性力を利用して固定した構成としたものであり、スイッチ組を電装箱に容易に固定し、材料費や取り付け作業費の製造コストを低減できるという作用を有する。
【００２７】
以下、本発明の実施例について図面を参照しながら説明する。
【００２８】
【実施例】
（実施例１）
図１および図２は熱交換気ユニットの制御手段を示す斜視図を示し、図１および図２において、室内側吸込口１から室外側吐出口２に至る排気通路３と、室外側吸込口４から室内側吐出口５に至る給気通路６と、排気通路３と給気通路６の交差部に設けた熱交換素子７とを有し、排気通路３に送風する排気用送風機８と給気通路６に送風する給気用送風機９とを設けた本体１０の電装部１１に、排気用送風機８と給気用送風機９の運転を制御する第１電源スイッチ１２および第１速調スイッチ１３を設けるとともに、室内の壁面に第２電源スイッチ１４および第２速調スイッチ１５を設け、電源を本体１０の電装部１１に設けた第１電源スイッチ１２および第１速調スイッチ１３に直接投入して排気用送風機８と給気用送風機９の運転を制御する手段と、壁面に設けた第２電源スイッチ１４および第２速調スイッチ１５に電源を投入し、第２電源スイッチ１４および第２速調スイッチ１５と本体１０の電装部１１とを接続することにより、遠方から排気用送風機８と給気用送風機９を制御する手段のいずれかが選択できる。
【００２９】
上記構成において、使用用途によって電源を第１電源スイッチ１２および第１速調スイッチ１３に投入する手段と、第２電源スイッチ１４および第２速調スイッチ１５に投入する手段の選択が可能となる。
【００３０】
（実施例２）
図３および図４は熱交換気ユニットの制御回路を示す回路図を示し、図３および図４において、本体１０の電装部に、内部に設けた第１電源スイッチ１２および第１速調スイッチ１３へ直接電源が投入できる接続部１６Ａ、１６Ｂと、壁面に設けた第２電源スイッチ１４および第２速調スイッチ１５と接続する接続部１６Ａ、１６Ｂ、１６Ｃとを共用した端子台１７を設けたものである。
【００３１】
上記構成において、本体１０の端子台１７の接続部１６Ａ、１６Ｂに直接電源を投入すると、本体１０に設けた第１電源スイッチ１２および第１速調スイッチ１３によって運転停止、風量切り換え制御が行え、また、第２電源スイッチ１４および第２速調スイッチ１５と端子台１７の接続部１６Ｂ、１６Ｃとを結び、第１電源スイッチ１２を入り、第１速調スイッチ１３を強に設定して第２電源スイッチ１４および第２速調スイッチ１５に電源を投入すると、第２電源スイッチ１４および第２速調スイッチ１５によって運転停止、風量切り換えが行える。
【００３２】
（実施例３）
図５は熱交換気ユニットの制御回路を示す回路図を示し、図５において、本体１０の電装部に、内部に設けた第１電源スイッチ１２および第１速調スイッチ１３へ直接電源が投入できる接続部１８Ａ、１８Ｂと、壁面に設けた第２電源スイッチ１４および第２速調スイッチ１５と接続する接続部１６Ａ、１６Ｂ、１６Ｃとを別々に設けた端子台１７、１９を有したものである。
【００３３】
上記構成において、本体１０の端子台１９の接続部１８Ａ、１８Ｂに直接電源を投入すると、本体１０に設けた第１電源スイッチ１２および第１速調スイッチ１３によって運転停止、風量切り換え制御が行え、また、第２電源スイッチ１４および第２速調スイッチ１５と端子台１７の接続部１６Ｂ、１６Ｃとを結び、第１電源スイッチ１２を入り、第１速調スイッチ１３を強に設定して第２電源スイッチ１４および第２速調スイッチ１５に電源を投入すると、第２電源スイッチ１４および第２速調スイッチ１５によって運転停止、風量切り換えが行える。
【００３４】
（実施例４）
図６および図７はスイッチカバー２０を電装カバー２１に取り付ける状態を示す斜視図を示し、図６および図７において、電装部の電装カバー２１に、スイッチカバー２１の両端部に形成した傾斜形状の凸部２２Ａ、２２Ｂをはめ込み保持する長方形状の固定孔２３Ａ、２３Ｂを設けたものである。
【００３５】
上記構成において、スイッチカバー２０は電装カバー２１の固定孔２３Ａ、２３Ｂに容易にはめ込み湾曲に保持できる。
【００３６】
（実施例５）
図８および図９は電装箱２４に、第１電源スイッチ１２と第１速調スイッチ１３を両端部に傾斜形状の凸部２５Ａ、２５Ｂを有した固定金具２６に形成したスイッチ組２７を電装箱２４の切り欠き部２８Ａ、２８Ｂに弾性力を利用して固定したものである。
【００３７】
上記構成において、スイッチ組２７は電装箱２４の切り欠き部２８Ａ、２８Ｂに弾性力を利用して容易に固定できる。
【００３８】
【発明の効果】
以上の実施例から明らかなように、本発明によれば連続運転する必要性がある場合に、スイッチを切りにされるのを防止でき、使用用途によって制御手段が選択できるという効果のある熱交換気ユニットの制御装置を提供できる。
【００３９】
また、使用用途によって容易に制御手段が選択できるという効果のある熱交換気ユニットの制御装置を提供できる。
【００４０】
また、使用用途によって容易に制御手段が選択でき、接続線の接続部も容易に選択できるという効果のある熱交換気ユニットの制御装置を提供できる。
【００４１】
また、工具や固定ねじを使用せずに、容易にスイッチカバーを着脱できるという効果のある熱交換気ユニットの制御装置を提供できる。
【００４２】
また、スイッチ組を電装箱に容易に固定し、材料費や取り付け作業費の製造コストを低減できるという効果のある熱交換気ユニットの制御装置を提供できる。
【図面の簡単な説明】
【図１】本発明の実施例１の熱交換気ユニットの実体配線状態を示す斜視図
【図２】同壁面に設けたスイッチの実体配線状態を示す斜視図
【図３】同実施例２の熱交換気ユニットの制御装置の制御手段を示す回路図
【図４】同壁面に設けたスイッチの制御手段を示す回路図
【図５】同実施例３の熱交換気ユニットの制御装置の制御手段を示す回路図
【図６】同実施例４の熱交換気ユニットの制御装置のスイッチカバーの取り付け状態を示す斜視図
【図７】同固定時の状態を示す斜視図
【図８】同実施例５の熱交換気ユニットの制御装置のスイッチ組の取り付け状態を示す斜視図
【図９】同固定時の状態を示す斜視図
【図１０】従来の熱交換気ユニットの実体配線状態を示す斜視図
【図１１】同制御手段を示す回路図
【図１２】同スイッチカバーの取り付け状態を示す斜視図
【図１３】同スイッチカバーの固定時の状態を示す斜視図
【図１４】同スイッチ組の取り付け状態を示す斜視図
【図１５】同スイッチ組の固定時の状態を示す斜視図
【符号の説明】
１      室内側吸込口
２      室外側吐出口
３      排気通路
４      室外側吸込口
５      室外側吐出口
６      給気通路
７      熱交換素子
８      排気用送風機
９      給気用送風機
１０    本体
１１    電装部
１２    第１電源スイッチ
１３    第１速調スイッチ
１４    第２電源スイッチ
１５    第２速調スイッチ
１６Ａ  接続部
１６Ｂ  接続部
１６Ｃ  接続部
１７    端子台
１８Ａ  接続部
１８Ｂ  接続部
２０    スイッチカバー
２１    電装カバー
２２Ａ  凸部
２２Ｂ  凸部
２３Ａ  固定孔
２３Ｂ  固定孔
２４    電装箱
２５Ａ  凸部
２５Ｂ  凸部
２６    固定金具
２７    スイッチ組
２８Ａ  切り欠き部
２８Ｂ  切り欠き部
【図１】
0003821531.tif 000002
【図２】
0003821531.tif 000003
【図３】
0003821531.tif 000004
【図４】
0003821531.tif 000005
【図５】
0003821531.tif 000006
【図６】
0003821531.tif 000007
【図７】
0003821531.tif 000008
【図８】
0003821531.tif 000009
【図９】
0003821531.tif 000010
【図１０】
0003821531.tif 000011
【図１１】
0003821531.tif 000012
【図１２】
0003821531.tif 000013
【図１３】
0003821531.tif 000014
【図１４】
0003821531.tif 000015
【図１５】
0003821531.tif 000016